(57)【要約】【課題】  フリーストップ状態が極めて良好に発揮されると共に、フリーストップ状態での角度調整がスムーズに行われることとなり、しかも簡易構造で容易に設計実現可能となるヒンジ装置並びにこのヒンジ装置を用いた電子機器を提供すること。【解決手段】  カム部７がカム係合部８から係脱した回動領域では、係合付勢機構９による押圧力でカム部７の凸部７Ａの頂部がカム係合部８の凹部８Ａに隣接する摺動用当接部８Ｂに当接する構成とし、この摺動用当接部８Ｂに、この摺動用当接部８Ｂの回動方向に長さを有する摺動凸部10若しくは摺動凹溝11を設け、この摺動凸部10若しくは摺動凹溝11が嵌合当接する摺動凹溝11若しくは摺動凸部10を凸部７Ａに設け、この摺動凸部10の頂面を凸湾曲面10Ａ状若しくは凹湾曲面に形成すると共に、摺動凹溝11の溝底面を、この摺動凸部10の凸湾曲面10Ａ若しくは凹湾曲面が当接する凹湾曲面11Ａ若しくは凸湾曲面に形成することで、この凸部７Ａと摺動用当接部８Ｂとの当接面積を大きくし、この凸部７Ａと摺動用当接部８Ｂとの摩擦抵抗を高める摩擦抵抗増大手段12を構成する。【選択図】      図３
2005321044.tif 000002
【特許請求の範囲】
【請求項１】
第一部材と第二部材とを枢着し、この第一部材を第二部材に対して相対的に回動せしめるヒンジ装置であって、第一部材と共に回動する第一取付部に回動軸部を設け、第二部材と共に回動するケース状の第二取付部を設け、この第二取付部に挿通される前記回動軸部が回動自在に係合する軸受部をこの第二取付部に設け、前記第一取付部に前記回動軸部と共に回動する凸部を有するカム部若しくは凹部を有するカム係合部を設け、前記ケース状の第二取付部と共に回動する凹部を有するカム係合部若しくは凸部を有するカム部をこのケース状の第二取付部内にスライド自在に収納し、この相対回動することで凹凸係合するカム部，カム係合部の少なくとも一方を前記ケース状の第二取付部内に係合離反方向にスライド移動自在に設けると共に、このカム部，カム係合部の少なくとも一方が係脱するに際して離反方向に移動した際この一方を係合方向に付勢する係合付勢機構を前記ケース状の第二取付部内に収納して、前記第一部材と前記第二部材とを相対回動して所定回動位置でこのカム部とカム係合部とが凹凸係合若しくは係合途中となり、前記係合付勢機構によりこの係合が保持される或いは係合付勢されるように構成し、このカム部，カム係合部の一方を前記ケース状の第二取付部内の係合付勢機構に抗して前記第二取付部内で離反方向に移動させつつ第二取付部と共に回動させることで前記カム係合部に対してカム部を係脱させ、前記第一部材に対して前記第二部材を相対回動するように構成したヒンジ装置において、前記カム部が前記カム係合部から係脱した回動領域では、前記係合付勢機構による押圧力でカム部の凸部の頂部がカム係合部の凹部に隣接する摺動用当接部に当接するように構成し、この摺動用当接部に、この摺動用当接部のカム部に対する回動方向に長さを有する摺動凸部若しくは摺動凹溝を設け、この摺動凸部若しくは摺動凹溝が嵌合当接する摺動凹溝若しくは摺動凸部を前記凸部に設け、この摺動凸部の頂面を凸湾曲面状若しくは凹湾曲面に形成すると共に、前記摺動凹溝の溝底面を、この摺動凸部の凸湾曲面若しくは凹湾曲面が当接する凹湾曲面若しくは凸湾曲面に形成することで、この凸部と摺動用当接部との当接面積を大きくし、この凸部と摺動用当接部との摩擦抵抗を高めてフリーストップを実現する摩擦抵抗増大手段を構成したことを特徴とするヒンジ装置。
【請求項２】
前記摺動用当接部の略全範囲に、この摺動用当接部の前記カム部に対する回動方向に長さを有する前記摺動凸部若しくは前記摺動凹溝を設け、この摺動凸部若しくは摺動凹溝が嵌合して面接当接する摺動凹溝若しくは摺動凸部を前記凸部に設けて、このカム部が前記カム係合部から係脱して凸部の頂部と摺動用当接部とが当接する略全ての回動領域で摺動凸部が摺動凹溝に嵌合当接し、摩擦抵抗を高めてフリーストップを実現する前記摩擦抵抗増大手段を構成したことを特徴とする請求項１記載のヒンジ装置。
【請求項３】
前記請求項１，２のいずれか１項に記載のヒンジ装置を、前記第一部材と前記第二部材との枢着部に設けたことを特徴とするヒンジ装置を用いた電子機器。
【発明の詳細な説明】
【技術分野】
【０００１】
本発明は、例えば、第一部材と第二部材との基端部同士を枢着して、双方が重合した閉塞状態から第一部材，第二部材のいずれか一方が所定角度（例えば１８０度近く）まで回動した開放状態に開閉できるヒンジ装置、並びにこのヒンジ装置を用いた例えば携帯電話やノート型パソコンなどの電子機器に関するものである。
【背景技術】
【０００２】
例えば、ノート型パソコンやワープロ或いは開閉式の携帯電話は、操作部を備えた本体部に対してディスプレイ部を備えた開閉蓋部（重合部）がヒンジ装置を介して起伏開閉自在に設けられているが、この開閉蓋部を本体部に伏した閉塞重合状態でこの開閉蓋部が勝手に回動して開いてしまうことがないように、閉塞状態を維持する重合保持機能をヒンジ装置に設けている。
【０００３】
即ち、例えばヒンジ装置の回動軸部を軸に互いに相対回動自在に設けられる本体部若しくは重合部の回動と共に回動するカム部と、重合部若しくは本体部の回動と共に回動するカム係合部とを有し、閉塞重合状態となるとき、このカム部に設けた凸部とカム係合部に設けた凹部とがバネ付勢によって凹凸係合することでこの重合状態が係合保持されるように構成し、また、開放回動時に再び凹凸係合し、所定回動位置が係合保持されるように構成している。例えば、重合閉塞時に凹凸係合途中となって閉塞付勢された状態で重合閉塞保持され、１８０度近く起伏回動すると、再び凹凸係合して開放状態が係合クリック保持されるように構成している。
【０００４】
更に説明すれば、例えば本体部若しくは重合部に連結する第一取付部に回動軸部を設け、重合部若しくは本体部に回り止め連結するケース状の第二連結部に前記回動軸部が挿通されこの回動軸部が回動自在に貫通係合する軸受部をこのケース状の第二連結部に設け、前記第一取付部に前記回動軸部と共に回動する凸部を有するカム部若しくは凹部を有するカム係合部を設け、前記第二取付部と共に回動するカム係合部若しくはカム部を前記ケース状の第二連結部内にスライド移動自在に収納し、この相対回動することで凹凸係合するカム部，カム係合部の少なくとも一方を回動軸部に沿ってケース状の第二取付部内で係合離反方向にスライド移動自在に設けると共に、このカム部，カム係合部の少なくとも一方が係脱するに際して離反方向に移動した際この一方を係合方向に付勢するバネによる係合付勢機構をケース状の第二取付部内に設けて、本体部に対して重合部を相対回動して閉塞重合状態とした際にこのカム部とカム係合部とが凹凸係合途中となって、前記バネによる係合付勢機構と凹凸係合の吸い込み力（カム係合付勢）によってこの係合が保持され重合閉塞状態が係合付勢保持されるように構成し、また、このカム部，カム係合部のいずれか一方を前記係合付勢機構に抗してケース状の第二取付部内で離反方向に移動させつつケース状の第二取付部と共に回動させることで前記カム係合部に対してカム部を係脱させ、そのまま本体部に対して重合部を相対回動できるように構成する。
【０００５】
このようにヒンジ装置を構成することで、別に閉塞保持装置を設けてこれをロック解除する等のやっかいな操作は一切不要にして重合状態とすることで自動的にカム係合（凹凸係合）付勢とバネ付勢とによってこの重合状態が係合保持されることとなり、そのままこの閉塞付勢に抗して回動すれば開放できることとなる。即ち、常に重合状態では付勢されることとなって開き止めされ、また、開放回動したいときには、この付勢力に抗して回動すればカム係合が外れてそのまま開放回動することができる。
【０００６】
ところで、例えば閉塞重合状態から本体部に対して重合部を起伏回動させて重合部を開放回動する際には、前記カム部と前記カム係合部とは、前述のようにカム係合（係合途中のカム係合）が解除されてカム部の凸部がカム係合部の凹部外を移動し、再び凹部にカム係合する。
【０００７】
このカム部の凸部がカム係合部の凹部外（凹部間）を移動する際、カム部とカム係合部とは、前記係合付勢機構により互いに近接（係合）する方向にバネ付勢されているため、前記凸部は凹部間にいわば押圧されながら回動移動することになる。
【０００８】
即ち、この係合付勢機構による押圧が回動抵抗（回動トルク）となる。
【０００９】
一方、回動途中では、この回動トルクが大きければこの回動トルクによって、手を放した位置で回動停止するいわゆるフリーストップが実現できることとなる。即ち、勝手に自重によって回動せずスムーズに手で回動できるが、手を放せばその位置で自動的に停止保持されるフリーストップが実現できることとなる。
【００１０】
出願人は、カム部の凸部（頂部）とカム係合部の凹部間の摺動用当接部とのいずれか一方若しくは双方にカム部の頂部と摺動用当接部との摩擦抵抗が高くなる摩擦抵抗増大手段を設けて、このカム部が摺動用当接部に当接した際には前記係合付勢機構による押圧力と摩擦抵抗増大手段とによる回動抵抗の増大により手を放した位置で回動停止して良好なフリーストップ状態を実現する画期的なヒンジ装置並びにこのヒンジ装置を用いた電子機器を完成し、特許出願している（特許文献１）。
【００１１】
【特許文献１】特開２００３−２４７５３２号公報
【発明の開示】
【発明が解決しようとする課題】
【００１２】
本発明は、この特許文献１のフリーストップ構造に更に改良を加えたものであり、前記フリーストップ状態がより一層極めて良好に発揮されると共に、フリーストップ状態での角度調整がスムーズに行われることとなり、しかも簡易構造で容易に設計実現可能となる画期的なヒンジ装置並びにこのヒンジ装置を用いた電子機器を提供するものである。
【課題を解決するための手段】
【００１３】
添付図面を参照して本発明の要旨を説明する。
【００１４】
第一部材１と第二部材２とを枢着し、この第一部材１を第二部材２に対して相対的に回動せしめるヒンジ装置であって、第一部材１と共に回動する第一取付部３に回動軸部４を設け、第二部材２と共に回動するケース状の第二取付部５を設け、この第二取付部５に挿通される前記回動軸部４が回動自在に係合する軸受部６をこの第二取付部５に設け、前記第一取付部３に前記回動軸部４と共に回動する凸部７Ａを有するカム部７若しくは凹部８Ａを有するカム係合部８を設け、前記ケース状の第二取付部５と共に回動する凹部８Ａを有するカム係合部８若しくは凸部７Ａを有するカム部７をこのケース状の第二取付部５内にスライド自在に収納し、この相対回動することで凹凸係合するカム部７，カム係合部８の少なくとも一方を前記ケース状の第二取付部５内に係合離反方向にスライド移動自在に設けると共に、このカム部７，カム係合部８の少なくとも一方が係脱するに際して離反方向に移動した際この一方を係合方向に付勢する係合付勢機構９を前記ケース状の第二取付部５内に収納して、前記第一部材１と前記第二部材２とを相対回動して所定回動位置でこのカム部７とカム係合部８とが凹凸係合若しくは係合途中となり、前記係合付勢機構９によりこの係合が保持される或いは係合付勢されるように構成し、このカム部７，カム係合部８の一方を前記ケース状の第二取付部５内の係合付勢機構９に抗して前記第二取付部５内で離反方向に移動させつつ第二取付部５と共に回動させることで前記カム係合部８に対してカム部７を係脱させ、前記第一部材１に対して前記第二部材２を相対回動するように構成したヒンジ装置において、前記カム部７が前記カム係合部８から係脱した回動領域では、前記係合付勢機構９による押圧力でカム部７の凸部７Ａの頂部がカム係合部８の凹部８Ａに隣接する摺動用当接部８Ｂに当接するように構成し、この摺動用当接部８Ｂに、この摺動用当接部８Ｂのカム部７に対する回動方向に長さを有する摺動凸部10若しくは摺動凹溝11を設け、この摺動凸部10若しくは摺動凹溝11が嵌合当接する摺動凹溝11若しくは摺動凸部10を前記凸部７Ａに設け、この摺動凸部10の頂面を凸湾曲面10Ａ状若しくは凹湾曲面に形成すると共に、前記摺動凹溝11の溝底面を、この摺動凸部10の凸湾曲面10Ａ若しくは凹湾曲面が当接する凹湾曲面11Ａ若しくは凸湾曲面に形成することで、この凸部７Ａと摺動用当接部８Ｂとの当接面積を大きくし、この凸部７Ａと摺動用当接部８Ｂとの摩擦抵抗を高めてフリーストップを実現する摩擦抵抗増大手段12を構成したことを特徴とするヒンジ装置に係るものである。
【００１５】
また、前記摺動用当接部８Ｂの略全範囲に、この摺動用当接部８Ｂの前記カム部７に対する回動方向に長さを有する前記摺動凸部10若しくは前記摺動凹溝11を設け、この摺動凸部10若しくは摺動凹溝11が嵌合して面接当接する摺動凹溝11若しくは摺動凸部10を前記凸部７Ａに設けて、このカム部７が前記カム係合部８から係脱して凸部７Ａの頂部と摺動用当接部８Ｂとが当接する略全ての回動領域で摺動凸部10が摺動凹溝11に嵌合当接し、摩擦抵抗を高めてフリーストップを実現する前記摩擦抵抗増大手段12を構成したことを特徴とする請求項１記載のヒンジ装置に係るものである。
【００１６】
また、前記請求項１，２のいずれか１項に記載のヒンジ装置を、前記第一部材１と前記第二部材２との枢着部に設けたことを特徴とするヒンジ装置を用いた電子機器に係るものである。
【発明の効果】
【００１７】
本発明は上述のように構成したから、十分な摩擦抵抗が得られて良好なフリーストップを実現でき、しかも、このように高い摩擦抵抗（フリーストップ）を実現する構成でありながら、摺動凸部若しくは摺動凹溝が摺動用当接部のカム部，カム係合部の回動方向に長さを有するように設けられているため、この摺動凸部若しくは摺動凹溝をガイドとしてカム部，カム係合部が滑らかに摺動して、手動操作によるフリーストップ位置の変更も極めてスムーズに行うことができ、更に、本発明では、滑らかな接触面の面積を増大することにより高い摩擦抵抗を生じる構成としたため、経年使用を原因とするフリーストップ作用の減衰を生じにくく、長期間に渡って良好なフリーストップ作用を維持でき、その上、この本発明のフリーストップ構造は、シンプルな構造のために加工し易く、量産性に秀れコスト安に設計実現可能となるなど、極めて実用性に秀れた画期的なヒンジ装置並びにヒンジ装置を用いた電子機器となる。
【００１８】
また、請求項２記載の発明においては、カム部がカム係合部から係脱した略全ての回動領域でフリーストップを実現できる極めて実用性に秀れた構成のヒンジ装置並びにヒンジ装置を用いた電子機器となる。
【発明を実施するための最良の形態】
【００１９】
好適と考える本発明の実施形態（発明をどのように実施するか）を、図面に基づいて本発明の作用を示して簡単に説明する。
【００２０】
例えば、第一部材１に対して第二部材２が重合した閉塞状態から、第一部材１に対して第二部材２を相対回動すると、回動軸部４を軸としてカム部７とカム係合部８とが相対回動し、凹凸係合状態若しくは係合途中状態となっていたカム部７の凸部７Ａとカム係合部８の凹部８Ａとが離反しつつ回動し、前記凸部７Ａは前記凹部８Ａ外の（凹部８Ａに隣接する）摺動用当接部８を移動するが、カム部７とカム係合部８のうち第二部材２と共に回動軸部４に対して回動するケース状の第二取付部材５内に回り止め状態にしてスライド自在に収納した一方が、このケース状の第二取付部５に収納したコイルバネや板バネ等の係合付勢機構９により係合方向に押圧付勢されているため、この凸部７Ａと摺動用当接部８Ｂとが押圧当接している回動領域、即ち前記カム部７が前記カム係合部８から係脱した回動領域において回動抵抗を生じる。
【００２１】
そして、この係合付勢機構９による押圧付勢力と、摩擦抵抗増大手段12による回動抵抗の増大によって手を放した位置で回動停止するフリーストップ状態となる。
【００２２】
即ち、カム部７がカム係合部８から係脱した回動領域では、係合付勢機構９によって、摺動用当接部８Ｂに設けた摺動凸部10若しくは摺動凹溝11と、凸部７Ａに設けた摺動凹溝11若しくは摺動凸部10とが嵌合当接すると共に、凸湾曲面10Ａ若しくは凹湾曲面に形成した摺動凸部10の頂面と、凹湾曲面11Ａ若しくは凸湾曲面に形成した摺動凹溝11の溝底面とが面接当接し、摺動用当接部８Ｂと凸部７Ａとの当接面積が非常に大きく確保される。
【００２３】
従って、この大きな当接面積を確保したまま凸部７Ａと摺動用当接部８Ｂとが互いに摺動（相対回動）することで高い接触摩擦抵抗を発揮し、例えば第一部材１に対して第二部材２が手を放した位置で停止する極めて良好なフリーストップを実現でき、第一部材１に対して第二部材２を使い易い所望の角度で停止させて使用できることとなる。
【００２４】
また、このように高い摩擦抵抗（フリーストップ）を実現する構成でありながら、摺動凸部10若しくは摺動凹溝11が摺動用当接部８Ｂのカム部７に対する回動方向に長さを有するように設けられているため、この摺動凸部10若しくは摺動凹溝11をガイドとしてカム部７（凸部７Ａ）が摺動用当接部８Ｂに対してスムーズに摺動移動することになる。即ち、カム部７に対するカム係合部８の相対回動が非常にスムーズに行われるので、手動操作によるフリーストップ位置の変更操作を極めてスムーズに行うことができる。
【００２５】
また、例えば、凸部７Ａと摺動用当接部８Ｂとの接触面に滑り摩擦が増大する荒らし面を形成するような構成であると、経年使用によって荒らし面が磨耗して摩擦抵抗が徐々に減衰してしまうが、本発明では、荒らし面などを形成することなく、基本的に滑らかな接触面同士の面積を増大することによって高い摩擦抵抗を生じる構成としたため、経年使用を原因とするフリーストップ作用の減衰を生じにくく、長期間に渡って良好なフリーストップ作用を発揮できることになる。
【００２６】
また、この本発明のフリーストップ構造は、シンプルな構造のためにカム部７，カム係合部８に対して加工を行い易く、量産性に秀れコスト安に設計実現可能となる。
【００２７】
また、例えば、前記摺動用当接部８Ｂの略全範囲に、この摺動用当接部８Ｂの前記カム部７に対する回動方向に長さを有する前記摺動凸部10若しくは前記摺動凹溝11を設け、この摺動凸部10若しくは摺動凹溝11が嵌合して面接当接する摺動凹溝11若しくは摺動凸部10を前記凸部７Ａに設けて、このカム部７が前記カム係合部８から係脱して凸部７Ａの頂部と摺動用当接部８Ｂとが当接する略全ての回動領域で摺動凸部10が摺動凹溝11に嵌合当接し、摩擦抵抗を高めてフリーストップを実現する前記摩擦抵抗増大手段12を構成すれば、前記カム部７が前記カム係合部８から係脱した略全ての回動領域で前記フリーストップを実現できるので、極めて実用的となる。
【実施例】
【００２８】
本発明の具体的な実施例について図面に基づいて説明する。
【００２９】
本実施例は、ヒンジ装置を用いた電子機器として図１に示すような携帯電話に本発明を適用したもので、回路基板，電源等の電子部品をケース内に内装すると共に、上面側に操作部13を備えた板状の本体部２を第二部材２とし、この本体部２に重合して操作部13を覆う略同形のディスプレイ部14を設けた板状の重合部１を第一部材１とし、重合部１と本体部２とを起伏回動自在にヒンジ装置Ｈにより軸着連結した構成としている。
【００３０】
次に、本実施例のヒンジ装置Ｈについて説明する。
【００３１】
重合部１（第一部材１）に止着固定する第一取付部３に回動軸部４を設け、この回動軸部４に挿通状態にして凹部８Ａを有するカム係合部８をこの第一取付部３に設けている。従って、重合部１と共に第一取付部３，回動軸部４，カム係合部８が一体に回動するように構成している。
【００３２】
また、カム係合部８は、図３，図４に示すように、略リング形に形成し、中心貫通孔を回動軸部４に挿通する構成とすると共に、対向する二箇所（中心貫通孔に対して略対称位置）に略Ｖ字形（略台形）に凹設する凹部８Ａを一体的に設けている。
【００３３】
一方、本体部２（第二部材２）の取付凹部15に回り止め係合するケース状の第二取付部５内に前記カム係合部８の凹部８Ａと凹凸係合する凸部７Ａを有するカム部７を回り止め状態にしてスライド自在に収納し、この相対回動することで凹凸係合するカム部７，カム係合部８の少なくとも一方のこのカム部７を前記ケース状の第二取付部５内に回動軸部４に沿って係合離反方向にスライド移動自在に設けると共に、このカム部７が係脱するに際して離反方向に移動した際、このカム部７を係合方向に付勢するコイルバネを採用した係合付勢機構９を前記ケース状の第二取付部５内に収納している。
【００３４】
また、カム部７は、図３，図５に示すように、カム係合部８と略同形のリング形に形成し、中心貫通孔を回動軸部４に挿通する構成とすると共に、対向する二箇所（中心貫通孔に対して略対称位置）に略Ｖ字形（略台形）に凸設する凸部７Ａを一体的に設けている。
【００３５】
そして、前記回動軸部４を前記カム部７，係合付勢機構９を挿通させてケース状の第二取付部５内に挿通配設し、回動軸部４の先端を第二取付部５の端部に設けた軸受部６に貫通係合して基端の戻り止め径大部16によって抜け止め支承し、反対端（先端）でカシメ止している（回動軸部４の先端を第一取付部３の取付孔に挿通した上、第一取付部３の先端に回り止め状態で装着される座金17と共に回動軸部４の先端にカシメ止している。）。
【００３６】
従って、本体部２とケース状の第二取付部５とこの第二取付部５内のカム部７とは回動軸部４を軸に一体に回動し、少なくとも回動軸部４は第二取付部５の端部の軸受部６に回動自在に軸支されている。従って、本体部２に対して重合部１を回動すると、回動軸部４を軸に（回動軸部４と共に）第一取付部３が回動し、回動軸部４に設けたカム係合部８が、第二取付部５内で係合付勢機構９に弾圧された状態のカム部７に対して回動軸部４を軸に相対回動し、所定回動位置でこのカム部７とカム係合部８とが凹凸係合若しくは係合途中となり、前記係合付勢機構９によりこの係合が保持される或いは係合付勢されるように構成している。
【００３７】
本実施例では、前記カム部７が前記カム係合部８から係脱した回動領域では、前記係合付勢機構９による押圧力でカム部７の凸部７Ａの頂部がカム係合部８の凹部８Ａに隣接する摺動用当接部８Ｂに当接するように構成し、この摺動用当接部８Ｂに、この摺動用当接部８Ｂのカム部７に対する回動方向に長さを有する摺動凸部10若しくは摺動凹溝11を設け、この摺動凸部10若しくは摺動凹溝11が嵌合当接する摺動凹溝11若しくは摺動凸部10を前記凸部７Ａに設けている。
【００３８】
具体的には、カム係合部８の凹部８Ａ間の摺動用当接部８Ｂに、摺動用当接部８Ｂのカム部７に対する回動方向に長さを有する摺動凸部10（凸条）を設け、この摺動凸部10が嵌合当接する摺動凹溝11を前記カム部７の凸部７Ａに設けている。
【００３９】
また、この摺動凸部10は、摺動用当接部８Ｂの略全範囲に設けている。
【００４０】
更に説明すると、図４に示すように摺動凸部10は、カム係合部８の前記回動軸部４を挿通する前記中心貫通孔を中心とした円の円弧に沿った形状に形成することで、摺動用当接部８Ｂの回動方向に長さを有する凸条に構成している。
【００４１】
また、摺動凸部10と摺動凹溝11とは、嵌合時に略全ての面が当接し合う滑らかな凹凸形状に形成し、これによる凸部７Ａと摺動用当接部８Ｂとの当接面積の増大により摩擦抵抗を高めている。
【００４２】
従って、カム部７が前記カム係合部８から係脱した回動領域では、カム部７の凸部７Ａがカム係合部８の摺動用当接部８Ｂに常に面接当接すると共に、この双方の当接面積は、双方が単なる平坦当接面でなく凹凸嵌合当接面であるため、非常に接触面積が広く、それだけ高い摩擦抵抗を発揮できる構成としている。
【００４３】
また、更に、この摺動凸部10の頂面を凸湾曲面10Ａ若しくは凹湾曲面に形成すると共に、前記摺動凹溝11の溝底面を、この摺動凸部10の凸湾曲面10Ａ若しくは凹湾曲面が面接する凹湾曲面11Ａ若しくは凸湾曲面に形成することで、図７に示すように、凸部７Ａが摺動用当接部８Ｂに当接する回動領域（カム部７がカム係合部８から係脱した回動領域）では、この摺動凸部10の頂部面と摺動凹溝11の溝底面との当接面積をも大きくし、この凸部７Ａと摺動用当接部８Ｂとの摩擦抵抗を高めてフリーストップを実現する摩擦抵抗増大手段12を構成している。
【００４４】
具体的には、摺動凸部10の頂面を、断面カマボコ形となる滑らかな凸湾曲面10Ａに形成する一方、摺動凹溝11の溝底面を、この凸湾曲面10Ａが略丁度ぴったりと面接当接する滑らかな凹湾曲面11Ａに形成し、この滑らかな凹凸湾曲面同士の面接当接によって単なる平坦面同士の当接よりも広い接触面積を確保し、それだけ高い摩擦抵抗を発揮できる構成としている。
【００４５】
従って、本実施例では、前記カム部７が前記カム係合部８から係脱して凸部７Ａと摺動用当接部８Ｂとが当接する略全ての回動領域で、前記凹凸平坦面同士と凹凸湾曲面同士とによる高い摩擦抵抗（回動抵抗）を発揮し、極めて良好なフリーストップ作動が発揮されるように構成している。
【００４６】
また、本実施例では、図８に示すように、本体部２に対して重合部１が重合閉塞した状態と、１８０度近くまで完全に開放した状態とにおいて、カム部７とカム係合部８とが凹凸係合若しくは係合途中となってこの閉塞，完全開放状態が係合付勢機構９によって係合付勢保持される構成とし、この閉塞，完全開放状態以外の開放回動領域、即ちカム部７がカム係合部８から係脱した回動領域ではフリーストップとなる構成としている。
【００４７】
尚、本発明は、本実施例に限られるものではなく、各構成要件の具体的構成は適宜設計し得るものである。
【図面の簡単な説明】
【００４８】
【図１】本実施例の使用状態を示す説明斜視図である。
【図２】本実施例のヒンジ装置を示す説明斜視図である。
【図３】本実施例のヒンジ装置を示す説明分解斜視図である。
【図４】本実施例のカム係合部を示す拡大説明斜視図である。
【図５】本実施例のカム部を示す拡大説明斜視図である。
【図６】本実施例の携帯電話の重合閉塞状態におけるヒンジ装置を示す説明側断面図である。
【図７】本実施例の携帯電話のフリーストップ状態におけるヒンジ装置を示す説明側断面図である。
【図８】本実施例の作動説明図である。
【符号の説明】
【００４９】
１  第一部材
２  第二部材
３  第一取付部
４  回動軸部
５  第二取付部
６  軸受部
７  カム部
７Ａ  凸部
８  カム係合部
８Ａ  凹部
８Ｂ  摺動用当接部
９  係合付勢機構
10  摺動凸部
10Ａ  凸湾曲面
11  摺動凹部
11Ａ  凹湾曲面
12  摩擦抵抗増大手段
【図１】
2005321044.tif 000003
【図２】
2005321044.tif 000004
【図３】
2005321044.tif 000005
【図４】
2005321044.tif 000006
【図５】
2005321044.tif 000007
【図６】
2005321044.tif 000008
【図７】
2005321044.tif 000009
【図８】
2005321044.tif 000010